(57)【要約】      （修正有）【課題】粉塵等が舞い上がっている作業環境においても作動不良を起こすことなく安定した機能を発揮し得る携帯工具用ホルダを提案する。【解決手段】ホルダ本体２に、弾性手段を介してスライド可能に保持され、該弾性手段の復元力でもって溝部２ｃ内に差し込まれたブラケット１の上部１ｂに当接して該ブラケット１の引き抜けを防止する一方、該弾性手段の収縮姿勢を維持しブラケット１の上部１ｂにおける当接を解除することによってのみブラケット１の引き抜きを可能とするストッパーを設ける。前記弾性手段としては、一端がストッパーに連係し他端が座部に連係する弾性体と、この弾性体の他端に連係する座部を有し、ストッパーとの組合せにより弾性体そのものを入れ込む配置空間を形成する凹部にて構成し、該凹部に、外部から侵入した粉塵を強制的に外界へ排出する開孔を設ける。【選択図】図１
2010023123.tif 000002
【特許請求の範囲】
【請求項１】
携帯工具の背面部に固定保持するブラケットと、このブラケットを、収納空間を区画形成する溝部内に着脱自在に差し込んで携帯工具をブラケットとともに保持するホルダ本体とを備えた携帯工具用ホルダであって、
前記ホルダ本体に、弾性手段を介してスライド可能に保持され、該弾性手段の復元力でもって溝部内に差し込まれたブラケットの上部に当接して該ブラケットの引き抜けを防止する一方、該弾性手段の収縮姿勢を維持しブラケットの上部における当接を解除することによってのみブラケットの引き抜きを可能とするストッパーを設け、
前記弾性手段は、一端がストッパーに連係し他端が座部に連係する弾性体と、この弾性体の他端に連係する座部を有し、ストッパーとの組合せにより弾性体そのものを入れ込む配置空間を形成する凹部からなり、
該凹部に、外部から侵入した粉塵を強制的に外界へ排出する開孔を形成したことを特徴とする携帯工具用ホルダ。  
【請求項２】
ストッパーと弾性体との連係部に、ストッパーのスライドに合わせて凹部内を移動して粉塵を開孔へ向けて強制的に押圧する排出手段を配置した、請求項１記載の携帯工具用ホルダ。
【発明の詳細な説明】
【技術分野】
【０００１】
本発明は、建設現場等において使用される巻き尺等の携帯工具を作業者の  ベルト等に保持するのに好適な携帯工具用ホルダに関するものであり、携帯工具の収納、取り出しを簡便に行え、作業現場における粉塵等に起因した構成部材の作動不良を確実に回避しようとするものである。
【背景技術】
【０００２】
携帯工具は、持ち運びが容易でその使用に際しては簡単に取り外すことができることが肝要であり、その具体的手段としては、作業者のベルトに直接引っ掛けるクリップやストラップ（ベルトに取り付けたカラピナ等を使用）、工具専用のホルダ、あるいは作業者の腰に取り付けられた腰袋等、様々なものが用いられていたが、近年では持ち運びや取り外しの容易性を実現するのみならず、より安全性な携帯ができるホルダも提案されてきており、この点に関する先行技術としては、携帯工具にブラケットを設け、このブラケットを、作業者のベルトに保持されたホルダ本体に差し込むことによりブラケットとホルダ本体との強固な連係を図った携帯工具用のホルダが知られている（例えば、特許文献１参照）。
【特許文献１】特開２００３−１２７０７２号公報
【０００３】
上記の従来の携帯工具用のホルダは、ブラケットがホルダ本体の溝部に入り込むとブラケットの上端角部にストッパーが当接して該ブラケットが抜け止め保持されることになるため作業者がどのような姿勢にあろうともブラケットとホルダ本体との連係が簡単に解除されることはなく、携帯工具の抜け落ちを確実に回避することが可能であって安全性に関しては極めて優れた構造になっていた。
【０００４】
ところで、かかるホルダはストッパーがスプリングの如き弾性部材にてスライド可能に保持されており、ブラケットとホルダ本体との連係を解除するには該ストッパーを弾性部材の復元力に抗する押圧が必要となるところ、携帯工具を使用する作業環境は粉塵（石膏ボードから脱落した石膏の粉など）が日常的に舞い上がっていることから、この粉塵がホルダの可動部分に入り込んで内部に溜まって固化してしまうような場合においてはストッパーの作動に不良を来たすことも懸念され、この点に関しては未だ改善の余地が残されていた。
【発明の開示】
【発明が解決しようとする課題】
【０００５】
本発明の課題は、粉塵等の入り込みによる構成部材の作動不良を引き起こすことのない携帯工具用のホルダを提案するところにある。
【課題を解決するための手段】
【０００６】
本発明は、携帯工具の背面部に固定保持するブラケットと、このブラケットを、収納空間を区画形成する溝部内に着脱自在に差し込んで携帯工具をブラケットとともに保持するホルダ本体とを備えた携帯工具用ホルダであって、
前記ホルダ本体に、弾性手段を介してスライド可能に保持され、該弾性手段の復元力でもって溝部内に差し込まれたブラケットの上部に当接して該ブラケットの引き抜けを防止する一方、該弾性手段の収縮姿勢を維持しブラケットの上部における当接を解除することによってのみブラケットの引き抜きを可能とするストッパーを設け、
前記弾性手段は、一端がストッパーに連係し他端が座部に連係する弾性体と、この弾性体の他端に連係する座部を有し、ストッパーとの組合せにより弾性体そのものを入れ込む配置空間を形成する凹部からなり、
該凹部に、外部から侵入した粉塵を強制的に外界へ排出する開孔を形成したことを特徴とする携帯工具用ホルダである。ここに、凹部は上下に沿って伸延する縦型の凹部とするかあるいは斜めに伸延する傾斜凹部を適用するのがよく、弾性体の他端に連係する座部は凹部の下側端面に設け、粉塵を強制的に排出する開孔は該座部に隣接して設けるのがよい。  
【０００７】
上記の構成になる携帯工具用ホルダにおいては、弾性体をスプリングとするのが好ましい。
【０００８】
また、ストッパーと弾性体との連係部には、ストッパーのスライドに合わせて凹部内を移動して粉塵を開孔へ向けて強制的に押圧する排出手段を配置するのが望ましい。
【発明の効果】
【０００９】
弾性体を配置する凹部に外界に連通する開孔を形成しておき、外部から該凹部に侵入した粉塵等をその自重により排出するか、あるいはストッパーのスライドに併せた強制的な押し出しによる排出が可能となるため、粉塵の固化等によって構成部材の作動不良を引き起こすことはない。
【発明を実施するための最良の形態】
【００１０】
以下、図面を用いて本発明をより具体的に説明する。
図１は本発明にしたがうホルダの外観斜視図を示したものであり、図２はホルダ本体の分解状態を示した外観斜視図を示したものである。
【００１１】
図における番号１は携帯工具（巻尺）の背面部にねじの如き係合手段にて固定保持するブラケットである。このブラケット１は先細り形状になる先端部１ａを有しており、該先端部１aを下向きにして携帯工具の背面部に固定保持される。先端部１ａには位置決め用の切欠部１ａ１が形成されている。
【００１２】
また、２はホルダ本体である。このホルダ本体２は作業者のベルトに通すことができる貫通孔ｈを有するベース部材２ａと、このベース部材２ａの前面側でねじ止めされ、その相互間にブラケット１の収納空間Ｓを区画形成するカバー体２ｂからなっており、該収納空間Ｓの外周縁部にはブラケット１の左右の縁部にスライド可能に連係するＵ字形状をなす溝部２ｃが形成されている。
【００１３】
３はホルダ本体２の前面側でカバー体２ｂの上部に設けられたストッパーである。このストッパー３はブラケット１が溝部２ｃに差し込まれ、収納空間Ｓに収まった状態で該ブラケット１の上部（好ましくは上端角部）１ｂに当接して該ブラケット１の抜け落ちを防止する凸部３ａを有しており、その下端部には、カバー体２ｂの上端部に形成された傾斜辺（右下がり傾斜辺）２ｂ１に適合する傾斜辺３ｂが形成されている。
【００１４】
また、４はストッパー３をカバー体２ｂの傾斜辺２ｂ１でスライド可能に保持するための弾性手段である。この弾性手段４は一端がストッパー３の裏面に形成された突起３ｃ（図３参照）に連係するスプリングの如き弾性体４ａと、この弾性体４ａを配置する凹部４ｂからなる。この凹部４ｂは傾斜辺２ｂ１と同じ傾きをもった傾斜凹部になっており、ストッパー３との組合せにより弾性体４ａそのものを入れ込む配置空間を形成するものであって、該凹部４ｂの下側端面には弾性体４ａの他端に連係する座部４ｃが形成されている（図２参照）。
【００１５】
５は凹部４ｂの下端面で座部４ｃに隣接して設けられた開孔である（図２参照）。この開孔５は凹部４ｂと外界とをつなぐためのものであり、粉塵が外部から凹部４ｂへ侵入することがあってもここを通して粉塵を排出する。
【００１６】
さらに、６はベース部材２ａに設けられた突起である（図２参照）。この突起６は収納空間Ｓの下側に位置して設けられており、ブラケット１が収納空間Ｓに収まった状態で先端部１ａの切欠部１ａ１に当接して収納空間Ｓにおけるブラケット１の位置決めを行う。
【００１７】
図３にストッパー３の背面を示し、図４にカバー体２ｂを取り外した状態のベース部材２ａの正面を示す。また、図５にブラケット１を収納空間Ｓに差し込んでいる状態を、また、図６にブラケット１が収納空間Ｓに収まった状態をそれぞれ示す。
【００１８】
ストッパー３は弾性手段４により付勢されており、ブラケット１を差し込む収納空間Ｓの入側開口の幅寸法Ｗを常に狭くするようになっている（図６参照）。
【００１９】
巻尺の如き携帯工具をホルダに取り付けるべく、ブラケット１を溝部２ｃに差し込んでいくとストッパー３はブラケット１の縁部に当接しカバー体２ｂの傾斜辺（右下がり傾斜辺）２ｂ１に沿って強制的にスライドすることとなり収納空間Ｓの入側開口が押し広げられる（図５参照）。
【００２０】
ブラケット１の差し込みをさらに継続していき、先端部１ａの切欠部１ａ１が突起６に当接するとそれと同時にストッパー３は弾性体４ａの復元力により初期位置へと復帰し該ストッパー３の凸部３ａがブラケット１の上端角部１ｂに当接することになる（図６参照）。
【００２１】
ブラケット１の先端部１ａの切欠部１ａ１が突起６に当接し、ストッパー３の凸部３ａがブラケット１の上端角部１ｂに位置した状態では、ブラケット１が収納空間Ｓに収まっていて、携帯工具を取り外すよう引き上げても引き抜くことはできず、ここに極めて高い安全性が確保される。
【００２２】
ブラケット１の上端角部１ｂには、ストッパー３の傾斜辺３ｂは異なる角度になる傾斜が設けられており、これによりブラケット１にはストッパー３による下方への押し付け力が増し、収納空間Ｓにおいてブラケット１は突起６との間で確実に保持されることとなり、その相互間においてがたつきがなくなる。
【００２３】
ホルダから携帯工具を取り外すには、携帯工具を把持するとともに作業者の母指を使いストッパー３を下方に向けて押圧する。そうすると、ストッパー３はカバー体２ｂの傾斜辺２ｂ１に沿ってスライドしていき、ブラケット１の上端角部１ｂとの接触が解除されることとなり、このとき、携帯工具を上方に引き上げるとブラケット１は携帯工具とともに収納空間Ｓから引き抜かれる。
【００２４】
ストッパー３はカバー体２ｂの傾斜辺２ｂ１に沿い斜め下方にスライドするものであり、携帯工具の取り外しはごく自然に行うことが可能であり、携帯工具自体も自然なかたちで把持できることになる。
【００２５】
上記のような操作によって携帯工具の取り付け、取り外しを行い得るホルダにおいては、弾性体４ａを配置する凹部４ｂに粉塵が侵入してそれが固化するような場合に該弾性体４ａの伸縮が困難となりストッパー３の良好なスライドができなくなることも想定されるが、本発明のホルダは座部４ｃの下側に開孔５が設けられているため、たとえ凹部４ｂに粉塵が入りこんでも自重により自然に外界へ排出される。
【００２６】
粉塵が自重により排出されることがなく粉塵が凹部４ｂの中で固化することがあったとしても、弾性体４ａが収縮する際に固化された粉塵は細かく砕かれ開孔５から押し出されることとなり、ストッパー３の作動不良を引き起こすことがなくなる。
【００２７】
本発明の実施の形態では、凹部４ｂは傾斜凹部として図示したが、該凹部４ｂは上下に沿って伸延する縦型の凹部に変更することも可能であり（この場合、ストッパー３の形状は変更する必要がある）、このような構成においては開孔５  が凹部４ｂの最も下端に位置することになるので、粉塵の排出効果をより一層高めるのに有利となる。       
【００２８】
ストッパー３の裏面に形成された突起３ｃを凹部４の断面形状に合致させた図７に示すような板状凸部に変更してこれを排出手段７としてもよい。排出手段７を設けることによりストッパー３をスライドさせて弾性体４ａを収縮させる際に凹部４内に入り込んだ粉塵を排出手段７により開孔５へ向けて強制的に押圧することが可能となり、粉塵の凹部４からの排出が可能となる。その様子を図８に示す。
【００２９】
図９〜１４は排出手段７の変更例を示したものである。
排出手段７は図９に示すように矢印形状になるものや図１０に示すような箒（ほうき）状のもの、図１１に示すような複数のフィンを間隔をあけて設けた耳掻き状のもの、あるいは図１２に示すような櫛（くし）状、ブラシ状のものを適用することが可能であり、何れのものも板状凸部を排出手段７としたものに比較して凹部４に入り込んだ粉塵の効果的な排出が可能となる。
【００３０】
また、排出手段７としては、図１３に示すように矩形形状をなす凸部７ａにロッド７ｂを一体的に設けた構造のものが適用できる。ロッド７ｂを弾性体４ａの内側を通って開孔５に向けて伸延するように配置することで弾性体４ａが収縮することによる粉塵の押出し効率をさらに向上させ得る。
【００３１】
さらに、排出手段７としては、図１４に示すように凸部の代わりに蛇腹によって伸縮可能なスポイト状部材を配置することができる。スポイト状部材は凹部４に固定しておき、ストッパー３のスライドに際して突起３ｃにてその後端部を押圧するようにすればよく、かかる排出手段７を適用すると、ストッパー３のスライドに際して該スポイト状部材が伸縮してノズル先端部より空気の吹き付けることが可能となるので粉塵のより効果的な排出が実現できる。
【００３２】
なお、排出手段７は凹部４内に入り込んだ粉塵を開孔５から積極的に押し出すことができるものであれば図示したものには限定されず、種々の変更が可能である。
【産業上の利用可能性】
【００３３】
粉塵等の侵入、固化に起因した構成部材の作動不良を起こすことがない携帯工具用ホルダが提供できる。
【図面の簡単な説明】
【００３４】
【図１】本発明にしたがう携帯工具用ホルダの実施の形態を示した図である。
【図２】図１に示したホルダの分解状態を示した外観斜視図である。
【図３】ストッパーの背面を示した図である。
【図４】ベース部材の正面を示した図である。
【図５】ブラケットをホルダ本体に取り付ける状態を示した図である。
【図６】ブラケットをホルダ本体の収納空間に収めた状態を示した図である。
【図７】ストッパーの外観斜視図である。
【図８】凹部に入り込んだ粉塵の排出状況を示した図である。
【図９】本発明にしたがうホルダの他の実施の形態を要部について示した図である。
【図１０】本発明にしたがうホルダの他の実施の形態を要部について示した図である。
【図１１】本発明にしたがうホルダの他の実施の形態を要部について示した図である。
【図１２】本発明にしたがうホルダの他の実施の形態を要部について示した図である。
【図１３】本発明にしたがうホルダの他の実施の形態を要部について示した図である。
【図１４】本発明にしたがうホルダの他の実施の形態を要部について示した図である。
【符号の説明】
【００３５】
１    ブラケット
１ａ  先端部
１ｂ  上端角部
２    ホルダ本体
２ａ  ベース部材
２ｂ  カバー体
２ｃ  溝部
３    ストッパー
３ａ  凸部
３ｂ  傾斜辺
４    弾性手段
４ａ  弾性体
４ｂ  凹部
４ｃ  座部
５    開孔
６    突起
７    排出手段
７ａ  凸部
７ｂ  ロッド
Ｓ    収納空間
【図１】
2010023123.tif 000003
【図２】
2010023123.tif 000004
【図３】
2010023123.tif 000005
【図４】
2010023123.tif 000006
【図５】
2010023123.tif 000007
【図６】
2010023123.tif 000008
【図７】
2010023123.tif 000009
【図８】
2010023123.tif 000010
【図９】
2010023123.tif 000011
【図１０】
2010023123.tif 000012
【図１１】
2010023123.tif 000013
【図１２】
2010023123.tif 000014
【図１３】
2010023123.tif 000015
【図１４】
2010023123.tif 000016